(57)【要約】【課題】水質を問わず、安全な水素豊富水の、常時持ち運びと適宜飲用を可能ならしめ、飲用に伴って発生する廃棄物の３Ｒ（リユース、リサイクル、リジューム）も可能ならしめる。【解決手段】水素ガス発生用のマグネシウム顆粒とセラミックと天然石と水を、水素ガスのみを透過させるべく成型された水素ガス供給器に収納し、この水素ガス供給器を水素ガスが透過し難いポータブルボトルに脱着可能の状態で固定する。これにより、水素豊富水を飲用する都度水素ガス供給器内のマグネシウム顆粒表面の水酸化マグネシウムがそぎ落とされ、水素ガスのみが常に飲用水に供給される。又、エンドユーザーのアンケート情報の収集と、水素ガス発生用の混合物もしくは水素ガス生成用カプセルの供給及び回収を同時に行うことにより、情報管理と廃棄物の３Ｒが可能となる。【選択図】図１
2020157287.tif 000002
【特許請求の範囲】
【請求項１】
常温水と反応して水素ガスを発生させるべく加工されたマグネシウム顆粒と天然石とセラミックで構成された水素ガス発生用混合物１と、水素ガス発生用混合物１もしくは水素ガス発生用混合物１を封入したカプセル１０の取り出し交換を容易にした螺合蓋３を有し、水素ガスのみが経常的に飲用水１３に供給される水素ガス供給器４と、水素ガス供給器４を脱着可能な状態で取り付けると共に飲み口及び空気導入口を有する内蓋５と、前記水素ガス供給器４と該内蓋５を内設し、飲用水１３及び飲用水１３に溶存された水素ガスが透過しにくい材質で成型されたシリコンゴムパッキング８と螺合蓋９と飲用水収納用ハンディーボトル７とで構成されたポータブル水素水ボトル。
【請求項２】
水素ガスは透過させるが注入された水２や水素ガス生成に伴って生成される微粒子は遮断するオレフィン系樹脂で成型され、あるいは変形防止のために微孔を有する硬質樹脂で強化成型され、内部に水素ガス発生用の水と水素ガス発生用混合物１もしくは水素ガス発生用混合物１を封入したカプセル１０を収納する水素ガス供給器４を有することを特徴とする、請求項１に記載されたポータブル水素水ボトル。
【発明の詳細な説明】
【技術分野】
【０００１】  本発明は、安全な水素豊富水を適宜摂取することを可能ならしめ、又、使用に伴って発生する廃棄物の３Ｒ（リユース・リジューム・リサイクル）を実現させるものである。
【技術背景】
【０００２】  水素水が人体にもたらすプラス効果は広く知られているが、水素水は少量ずつ多数回にわたって摂取しなければ効果が薄い。
【０００３】  水素は透過性が著しく、電気分解その他の水素水製造機で作成された水素水をペットボトル等で持ち運びする場合は、水素が容器を透過して水素濃度が減少するし、飲用した水の部分が空気と入れ替わることとなるため、安定した水素濃度を保持し続ける水素水を適宜摂取可能とすることは非常に困難である。
【０００４】  文献１、文献２、文献３のように電池を用いた水素ガス発生器を具備した水素水ボトルが存在するが、各種イオンや蛋白質等を含んだ水は電気分解によって変質する為、問題が発生する可能性がある。
【０００５】    上記問題の解消手段として、文献４のようにパウチフィルム容器が採用されているが、飲用の為に蓋を開けた段階で相当量の水素ガスが発散し、加圧状態が解消されて、水素ガス溶存濃度が減少することは否めない。
【０００６】    しかも、上述した２種類のポータブルボトルは飛行機に持込することが出来ないという難点も存在する。
【０００７】    一方、文献５、文献６、文献７、文献８等に基いた水素ガス供給器が市場に供給されているが、水酸化マグネシウムが飲用水に溶け込み、マグネシウムの摂取過多になる可能性があるし、飲用時に上記水素ガス供給器が口中に流れ込む可能性があり、飲用する際に多少の工夫を必要とする。
【０００８】    また、ボトルに注入される飲用水は中性水である必要があり、スポーツドリンクや果汁ドリンクなどを水素豊富水とすることは不可能である。
【先行技術文献】
【特許文献】
【特許文献１】特許  第５６８８１０４号  公報
【特許文献２】特許  第５６８８１０４号  公報
【特許文献３】特開  第２０１６−０２５２９号  公報
【特許文献４】実新  ３２０５００４号  公報
【特許文献５】特開  第２００４−３２２０２０号  公報
【特許文献６】特開  第２００４−１７４３０１号  公報
【特許文献７】特開  第２０１５−１８８７９７号  公報
【特許文献８】特開  第２０１６−０２５２９号  公報
【発明の概要】
【発明が解決しようとする課題】
【０００９】  解決しようとする問題点は、あらゆる種類の飲用水を、飲用時に工夫を要することなく、マグネシウム摂取過多等の不安がない安全な水素豊富水として、常時携行することが可能で、適宜飲用することができるポータブルボトルが存在しなかった点にある。
【課題を解決するための手段】
【００１０】  本発明は、常温水と反応して水素ガスを発生させるべく加工されたマグネシウム顆粒と天然石と複数のセラミックで構成された水素ガス発生用混合物１と、水素ガス発生用混合物１もしくは水素ガス発生用混合物１を封入したカプセル１０の取り出し交換を容易にした螺合蓋３を有する、水素ガスのみが経常的に飲用水１３に供給される水素ガス供給器４と、水素ガス供給器４を脱着可能な状態で取り付けると共に飲み口及び空気導入口を有する内蓋５と、前記水素ガス供給器４と該内蓋５を内設し、飲用水１３及び飲用水１３に溶存された水素ガスが透過しにくい材質で成型されたシリコンゴムパッキング８と螺状蓋９と飲用水収納用ハンディーボトル７とで構成されたポータブル水素水ボトルを提供する。【００１１】  又、水素ガスは透過させるが注入された水２や水素ガス生成に伴って生成される微粒子は遮断するオレフィン系樹脂で成型され、又は、前述のオレフィン系樹脂の変形防止の為に微孔を有する硬質樹脂で強化成型され、内部に水素ガス発生用の水２と水素ガス発生用混合物１を収納する、あるいは水素ガス発生用混合物１を封入したカプセル１０を収納する水素ガス供給器４を有するポータブル水素水ボトルを提供する。
【発明の効果】
【００１２】本発明の効果は、常温水と反応して水素ガスを発生させるべく加工されたマグネシウム顆粒及び化学反応によって生成される水素ガスの発生を妨げる水酸化マグネシウムをマグネシウム顆粒の表面から擦り落とすべく作成された水素ガス発生用混合物１と、水素ガスは透過させるが水素ガス発生用混合物１や水素ガス生成用に注入された水２や水酸化マグネシウム微粒子は透過させない材質で成型された、前述の水素ガス発生用混合物１を収納する水素ガス供給器４と、飲用水１３及び飲用水１３に溶存された水素ガスが透過しにくい材質で成型したポータブル飲用水ボトル７及び螺合蓋６で構成することにより、添加物を含んだスポーツドリンクやジュース等も一定の水素ガス溶存度を保った安全な水素豊富水として常時携行、適宜摂取が可能であるという利点がある。【００１３】  本発明のポータブル水素水ボトルによれば、広口の螺合蓋及び簡易固定式の内蓋５を有することで、水素ガス供給器４に収納した水素ガスを発生させる為の水素ガス発生材１もしくは水素ガス発生材１を収納したカプセル１０の取り出し交換が容易となり、エンドユーザーの経済的負担を軽減することが可能となる。【００１４】  しかも、水素ガス生成用混合物１又は水素ガス生成用混合物１を収納したカプセル１０を製造元に返送することで、３Ｒ（リユース、リジューム、リサイクル）も実現可能となる。
【図面の簡単な説明】
【００１５】
【図１】  カプセルに収納した水素ガス供給器を有するボトルの全体像を、飲み口側から見た断面図で表現した説明図である。
【図２】  水素ガス発生用混合物１を直接水素ガス供給器に収納した、水素ガス供給器を有するボトルの全体像を空気導入口側から見た断面図で表現した説明図である。
【図３】  使用前の水素ガス発生用混合物の説明図である。
【図４】  上記内蓋を水素ガス供給器固定側から見た説明図である。
【図５】  水素ガス供給器を固定する内蓋をボトルの蓋側から見た説明図である。
【発明を実施するための形態】
【００１６】  図面を参照して、本発明を実施するための形態を詳細に説明する。
【００１７】  図１は、水素ガス発生材１を収納し、水素ガス供給器内の水は通すが封入物は外に漏らさないカプセル１０と水素ガス発生用の水２を収納した、水素ガスは透過させるが水素ガス発生に伴って生成される水酸化マグネシウム粒子や水素ガス生成用の水２は透過させない材質の水素ガス供給器４と螺合蓋３とを内蓋５で固定装着した、ポータブル水素水ボトル７及びシリコンゴムパッキング８を装着したボトルの蓋９の説明図であり、飲用水素豊富水を飲用するためにボトルを傾けるたびにマグネシウム顆粒とセラミックその他の混合物が擦れあい、水素ガス発生を妨げる水酸化マグネシウムをそぎ落として、常時水素ガスを発生させる。
【００１８】  水素ガス生成用の水２は水素ガス供給器４に４／５程度注入し、空間部を設け、水素ガス発生に伴って上昇する圧力を調整させ、水素ガス供給器４の変形を防止するとトも共に水素ガス発生材の擦れ合いを助長する。
【００１９】  ４は水素が市発生材を収納したカプセル１０と水素生成用の水２を収納する水素ガス供給器で、水素ガスのみを透過させるために低密度のオレフィン系樹脂を採用し、発生する水素ガス圧による４の変形を防ぐために微孔を有する硬質樹脂を用いて収納物を容易に取り出せるように成型することが望ましい。羅合蓋３の反対側にはボトルの内蓋５に脱着可能状態で固定出来るように突起部を設け、簡単に脱着することを可能ならしめる。
【００２０】  羅合蓋３は出来るだけ広口にし、水素ガス供給器に収納した内容物を取り出し易くする。
【００２１】  ５は前述の水素ガス供給器４を容易に取り出し、水素ガス供給器４の内容物を簡単に交換可能とするための簡易固定式の内蓋で、飲み口５−１と空気導入口５−２を開口し、一方を開口したガイドレール５−３で水素ガス供給器４を容易に脱着固定出来るように成型する。
【００２２】  カプセル１０は必須ではなく、図２に示すように直接水素ガス供給器に収納することも可能であるが、水素ガス発生材を交換し易くして、３Ｒを実現させる為にも有用である。
【００２３】  カプセル１０にはカプセルの内容積に空間を設けるように水素ガス発生用混合物１を封入し、水素ガス発生用混合物１の擦れ合いを妨害しないようにする。
【００２４】  １２は水素水飲用に伴って発生する空間部水素水を飲用した際に発生する空間であるが、出来るだけ速やかに飲用した量を補充してボトル内の気圧が迅速に上昇するようにする。
【００２５】  １１は水素ガス供給器４に設けられた空間部で、水素ガスが成分の殆どを占め、水素豊富水飲用のためにボトルを傾けた際に水素ガス発生材と水素ガス発生用の水２とを攪拌させ水素ガス発生材１の擦れ合いを助ける。
【００２６】  エンドユーザーは、水素ガス発生用混合物１、又は水素ガス発生用混合物１が収納されたカプセル１０を、７日〜１０日間使用した後に取り出し、新しい水素ガス発生材と交換する為、購入代金を添えて製造販売元に送付する。その際、製造販売元から求められたアンケート及び要望その他を記入し添付する。製造販売元は、使用済のマグネシウム顆粒とセラミックその他の混合物１、又はマグネシウム顆粒とセラミックその他の混合物１を収納したカプセル１０及び消費者の情報や要望等が記されたアンケート用紙を回収することで、消費者の要求及び消費者性向やデータを蓄積し、分析することが可能となる。データの蓄積と分析により、エンドユーザーに水素豊富水の正しい飲み方を個別に提供することが可能となる。
【００２７】  回収した使用済のマグネシウム顆粒とセラミックその他の混合物１、又はマグネシウム顆粒とセラミックその他の混合物１を収納したカプセル１０及び回収のために使用された包装物は、粉砕してセラミック製造用の原材料とする。
【産業上の利用可能性】
【００２８】  図１及び図２に示した容器を常時携帯することにより、水酸化マグネシウム摂取過多等の心配がなく、水の種類を選ばない、安全な水素豊富水を適宜摂取することが可能となる。【００２９】  又、エンドユーザーが水素ガス発生材を容易に交換できるようにすることによって、使用済みの水素ガス発生材を製造販売元に返送し易くなり、製造販売元はエンドユーザーの情報管理を行いながら資源の３Ｒ（リユース・リサイクル・リジューム）を実現させることも可能となる。【００３０】  しかも、使用済のマグネシウム顆粒とセラミックその他の混合物１又はマグネシウム顆粒とセラミックその他の混合物１を収納したカプセル１０は廃棄物ではなく、原材料としての活用が可能となる。
【符号の説明】
【００３１】１      マグネシウムとセラミック等の水素ガス発生用混合物
２      水素ガス生成用の純水
３      水素ガス供給器の蓋
４      水素ガス供給器
５      水素ガス供給器固定用内蓋
５−１  内蓋に設けられた飲み口
５−２  内蓋に設けられた空気導入口
５−３  水素ガス供給器固定用ガイドレール
６      水素ガス供給器固定用内蓋に設けた水素ガス供給器固定用のガイド
７      飲用水素豊富水持ち運び用ハンディーボトル
８      飲用水素豊富水の水素ガス漏出防止のためのパッキンの断面
８−１  飲用水素豊富水の水素ガス漏出防止のためのパッキン
９      ポータブル水素水ボトルの蓋
１０    水素ガス生成用混合物を収納する水素ガス発生用カプセル
１１    水素ガス供給器の内部圧力の調整と攪拌力を高めるための空間部
１２    水素水飲用に伴って発生する空間部
１３    水素豊富飲用水
１４    内蓋取り出し用のフック
【図１】
2020157287.tif 000003
【図２】
2020157287.tif 000004
【図３】
2020157287.tif 000005
【図４】
2020157287.tif 000006
【図５】
2020157287.tif 000007